(57)【要約】【構成】ビデオカメラ１０は被写界像を繰り返し出力するイメージセンサ１４を含む。ビデオカメラ１０のＣＰＵ３０は、イメージセンサ１４から出力された被写界像に記録処理を施す。また、イメージセンサ１４から出力された被写界像が暗黒画像であるか否かを繰り返し判別し、判別結果が否定的な結果から肯定的な結果に更新された時点を示すタイミング情報を作成する。そして、既定条件が満足されると記録処理を不能化し、記録された被写界像の一部を作成されたタイミング情報に基づいて削除する削除処理を不能化処理の後に実行する。【効果】記録画像から暗黒画像を容易に削除できる。【選択図】図１
2008235969.tif 000002
【特許請求の範囲】
【請求項１】
被写界を表す光学像が照射される撮像面を有し、被写界像を繰り返し出力する撮像手段、
前記撮像手段から出力された被写界像に記録処理を施す記録手段、
前記撮像手段から出力された被写界像が低輝度画像であるか否かを繰り返し判別する判別手段、
前記判別手段の判別結果が否定的な結果から肯定的な結果に更新された時点を示すタイミング情報を作成する作成手段、
既定条件が満足されたとき前記記録手段を不能化する不能化手段、および
前記記録手段によって記録された被写界像の一部を前記作成手段によって作成されたタイミング情報に基づいて削除する削除処理を前記不能化手段の不能化処理の後に実行する削除手段を備える、ビデオカメラ。
【請求項２】
前記既定条件は、前記判別手段の判別結果が肯定的な結果を継続的に示す肯定継続時間が第１規定時間に到達したという時間条件を含む、請求項１記載のビデオカメラ。
【請求項３】
前記肯定継続時間を計測する計測手段、および
継続操作が行われたとき前記計測手段の計測処理をリセットするリセット手段をさらに備える、請求項２記載のビデオカメラ。
【請求項４】
前記作成手段によって作成されたタイミング情報を前記リセット手段のリセット処理に関連して初期化する初期化手段をさらに備える、請求項３記載のビデオカメラ。
【請求項５】
前記既定条件は中断操作が行われたという操作条件をさらに含む、請求項２ないし４のいずれかに記載のビデオカメラ。
【請求項６】
前記肯定継続時間が前記第１規定時間よりも短い第２規定時間に到達した時点で少なくとも前記継続操作を操作者に促すための報知処理を実行する報知手段をさらに備える、請求項３ないし５のいずれかに記載のビデオカメラ。
【請求項７】
被写界を表す光学像が照射される撮像面を有し、被写界像を繰り返し出力する撮像手段を備えるビデオカメラのプロセッサに、
前記撮像手段から出力された被写界像に記録処理を施す記録ステップ、
前記撮像手段から出力された被写界像が低輝度画像であるか否かを繰り返し判別する判別ステップ、
前記判別ステップの判別結果が否定的な結果から肯定的な結果に更新された時点を示すタイミング情報を作成する作成ステップ、
既定条件が満足されたとき前記記録ステップを不能化する不能化ステップ、および
前記記録ステップによって記録された被写界像の一部を前記作成ステップによって作成されたタイミング情報に基づいて削除する削除処理を前記不能化ステップの不能化処理の後に実行する削除ステップを実行させるための、制御プログラム。
【請求項８】
被写界を表す光学像が照射される撮像面を有し、被写界像を繰り返し出力する撮像手段を備えるビデオカメラの制御方法であって、
前記撮像手段から出力された被写界像に記録処理を施す記録ステップ、
前記撮像手段から出力された被写界像が低輝度画像であるか否かを繰り返し判別する判別ステップ、
前記判別ステップの判別結果が否定的な結果から肯定的な結果に更新された時点を示すタイミング情報を作成する作成ステップ、
既定条件が満足されたとき前記記録ステップを不能化する不能化ステップ、および
前記記録ステップによって記録された被写界像の一部を前記作成ステップによって作成されたタイミング情報に基づいて削除する削除処理を前記不能化ステップの不能化処理の後に実行する削除ステップを備える、制御方法。
【発明の詳細な説明】
【技術分野】
【０００１】
この発明は、ビデオカメラに関し、特にたとえば、被写界を繰り返し撮像し、撮像された被写界像を動画像として記録する、ビデオカメラに関する。
【背景技術】
【０００２】
この種のビデオカメラとしては、特許文献１に開示されたものが知られている。この背景技術では、被写界像が暗いと評価されるとき、撮像または記録を停止する。これにより、記録媒体に暗黒画像が蓄積される弊害を回避しようとしている。
【特許文献１】特開２００６−１６５７７０号公報〔H04Ｎ 5/232, 5/225, 5/91〕
【発明の開示】
【発明が解決しようとする課題】
【０００３】
しかし、被写界が暗いと評価されてから記録動作を停止するまでには、ある程度の猶予期間を設ける必要がある。瞬間的な輝度低下に反応したのでは、継続的な記録動作が妨げられるからである。このため、背景技術でも、猶予期間に相当する量の暗黒画像が記録される結果となる。要するに、継続的な記録動作を確保しようとすれば、相当量の暗黒画像の記録は避けられない。
【０００４】
なお、暗黒画像を記録する状況としては、たとえば、停止操作を行わないままビデオカメラをカバンに仕舞い込んだ場面や、夜間に花火を撮影する場面などが挙げられる。前者の場面の暗黒画像は無意味であるが、後者の場面の暗黒画像には意味がある。背景技術では、このような意味のある暗黒画像が記録されない可能性もある。
【０００５】
それゆえに、この発明の主たる目的は、記録画像から低輝度画像を容易に削除できる、ビデオカメラを提供することである。
【課題を解決するための手段】
【０００６】
この発明に従うビデオカメラ(10)は、被写界を表す光学像が照射される撮像面(14f)を有し、被写界像を繰り返し出力する撮像手段(14)、撮像手段から出力された被写界像に記録処理を施す記録手段(S11)、撮像手段から出力された被写界像が低輝度画像であるか否かを繰り返し判別する判別手段(S13)、判別手段の判別結果が否定的な結果から肯定的な結果に更新された時点を示すタイミング情報を作成する作成手段(S7, S17, S19, S23)、既定条件が満足されたとき記録手段を不能化する不能化手段(S29, S31)、および記録手段によって記録された被写界像の一部を作成手段によって作成されたタイミング情報に基づいて削除する削除処理を不能化手段の不能化処理の後に実行する削除手段(S39)を備える。
【０００７】
撮像手段は、被写界を表す光学像が照射される撮像面を有し、被写界像を繰り返し出力する。撮像手段から出力された被写界像は、記録手段によって記録処理を施される。判別手段は、撮像手段から出力された被写界像が低輝度画像であるか否かを繰り返し判別する。また、作成手段は、判別手段の判別結果が否定的な結果から肯定的な結果に更新された時点を示すタイミング情報を作成する。不能化手段は、既定条件が満足されたとき記録手段を不能化する。削除手段は、記録手段によって記録された被写界像の一部を作成手段によって作成されたタイミング情報に基づいて削除する削除処理を、不能化手段の不能化処理の後に実行する。
【０００８】
タイミング情報は、撮像手段から出力された被写界像が低輝度画像に変化した時点を示す。記録された被写界像の一部は、このようなタイミング情報に基づいて削除される。これによって、記録画像から低輝度画像を容易に削除することができる。
【０００９】
ビデオカメラでは、既定条件は、判別手段の判別結果が肯定的な結果を継続的に示す肯定継続時間が第１規定時間に到達したという時間条件をさらに含む。
【００１０】
したがって、記録処理は、肯定継続時間が第１規定時間に到達した時点で中断される。これにより、継続的な記録動作を確保しながら、低輝度画像の蓄積を回避することができる。
【００１１】
ビデオカメラは、肯定継続時間を計測する計測手段(S21)、および継続操作が行われたとき計測手段の計測処理をリセットするリセット手段(S41)をさらに備える。
【００１２】
肯定継続時間は、計測手段によって計測される。計測手段の計測処理は、継続操作が行われたときリセット手段によってリセットされる。したがって、操作者が継続操作を行えば、時間条件の満足は阻止される。これによって、時間条件の満足に基づく記録処理の中断は回避され、その後の削除処理が実行されることもなくなる。こうして、操作者にとって意味のある低輝度画像の記録が確保される。
【００１３】
ビデオカメラは、作成手段によって作成されたタイミング情報をリセット手段のリセット処理に関連して初期化する初期化手段(S5)をさらに備える。
【００１４】
作成手段によって作成されたタイミング情報は、リセット手段のリセット処理に関連して、初期化手段によって初期化される。したがって、継続操作の後に、被写界像が低輝度画像から高輝度画像に変化し、そして再び高輝度画像から低輝度画像に変化した場合にも、的確な削除が行える。
【００１５】
ビデオカメラでは、既定条件は中断操作が行われたという操作条件をさらに含む。したがって、記録処理は、中断操作が行われたときにも中断される。
【００１６】
ビデオカメラは、肯定継続時間が第１規定時間よりも短い第２規定時間に到達した時点で少なくとも継続操作を操作者に促すための報知処理を実行する報知手段(S27)をさらに備える。
【００１７】
報知手段による報知処理は、肯定継続時間が第１規定時間よりも短い第２規定時間に到達した時点で実行される。したがって、操作者には、第１規定時間と第２規定時間との差分に等しい時間が、継続操作を行うための猶予時間として与えられることとなる。
【００１８】
この発明に従う制御プログラムは、被写界を表す光学像が照射される撮像面(14f)を有し、被写界像を繰り返し出力する撮像手段(14)を備えるビデオカメラ(10)のプロセッサ(30)に、撮像手段から出力された被写界像に記録処理を施す記録ステップ(S11)、撮像手段から出力された被写界像が低輝度画像であるか否かを繰り返し判別する判別ステップ(S13)、判別ステップの判別結果が否定的な結果から肯定的な結果に更新された時点を示すタイミング情報を作成する作成ステップ(S7, S17, S19, S23)、既定条件が満足されたとき記録ステップを不能化する不能化ステップ(S29,S31)、および記録ステップによって記録された被写界像の一部を作成ステップによって作成されたタイミング情報に基づいて削除する削除処理を不能化ステップの不能化処理の後に実行する削除ステップ(S39)を実行させる。
【００１９】
制御プログラムでも、前述のビデオカメラと同様に、記録画像から低輝度画像を容易に削除することができる。
【００２０】
この発明に従う制御方法は、被写界を表す光学像が照射される撮像面(14f)を有し、被写界像を繰り返し出力する撮像手段(14)を備えるビデオカメラ(10)の制御方法であって、撮像手段から出力された被写界像に記録処理を施す記録ステップ(S11)、撮像手段から出力された被写界像が低輝度画像であるか否かを繰り返し判別する判別ステップ(S13)、判別ステップの判別結果が否定的な結果から肯定的な結果に更新された時点を示すタイミング情報を作成する作成ステップ(S7, S17, S19, S23)、既定条件が満足されたとき記録ステップを不能化する不能化ステップ(S29,S31)、および記録ステップによって記録された被写界像の一部を作成ステップによって作成されたタイミング情報に基づいて削除する削除処理を不能化ステップの不能化処理の後に実行する削除ステップ(S39)を備える。
【００２１】
制御方法でも、前述のビデオカメラと同様に、記録画像から低輝度画像を容易に削除することができる。
【発明の効果】
【００２２】
この発明によれば、記録画像から暗黒画像などの低輝度画像を容易に削除することができる。
【００２３】
この発明の上述の目的，その他の目的，特徴および利点は、図面を参照して行う以下の実施例の詳細な説明から一層明らかとなろう。
【発明を実施するための最良の形態】
【００２４】
図１を参照して、この実施例のビデオカメラ１０は、光学レンズ１２を含む。被写界の光学像は、光学レンズ１２を通してイメージセンサ１４の撮像面１４ｆに照射され、光電変換を施される。これによって、被写界を表す電荷つまり生画像信号が生成される。
【００２５】
電源が投入されると、ＣＰＵ３０は、スルー画像処理を実行するべく、露光処理および電荷読み出し処理の繰り返しをイメージセンサ１４に命令する。イメージセンサ１４は、露光処理と、これによって得られた電荷の読み出し処理とを実行する。イメージセンサ１４で生成された生画像信号は、図示しないタイミングジェネレータが１／３０秒に１回の割合で発生する垂直同期信号（Ｖｓｙｎｃ）に応答して、ラスタ走査に従う順序で読み出される。
【００２６】
イメージセンサ１４から出力された生画像信号は、カメラ処理回路１６によってＡ／Ｄ変換，色分離，ＹＵＶ変換などの処理を施される。カメラ処理回路１６は、こうして得られたＹＵＶ形式の画像データをメモリ制御回路１８を通してＳＤＲＡＭ２０に書き込む。
【００２７】
ＬＣＤドライバ２４は、ＳＤＲＡＭ２０に格納された画像データをメモリ制御回路１８を通して１／３０秒毎に読み出し、読み出された画像データでＬＣＤモニタ２６を駆動する。この結果、被写界を表すリアルタイム動画像（スルー画像）がＬＣＤモニタ２６に表示される。
【００２８】
キー入力装置２８によって記録開始操作が行われると、ＣＰＵ３０はＪＰＥＧ圧縮をＪＰＥＧコーデック３６に命令する。ＪＰＥＧコーデック３６は、ＳＤＲＡＭ２０に格納された画像データをメモリ制御回路１８を通して１／３０秒毎に読み出し、読み出された画像データをＭｏｔｉｏｎ−ＪＰＥＧ方式で圧縮し、そして圧縮画像データつまりＭｏｔｉｏｎ−ＪＰＥＧデータをメモリ制御回路１８を通してフレーム単位でＳＤＲＡＭ２０に書き込む。各フレームに付されるヘッダは、ＣＰＵ３０によって作成される。ヘッダには、注目するフレームのフレーム番号，作成時刻などが記述される。
【００２９】
こうして、図２に示す構造を有するＭｏｔｉｏｎ−ＪＰＥＧデータがＳＤＲＡＭ２０内に得られる。ＳＤＲＡＭ２０内のＭｏｔｉｏｎ−ＪＰＥＧデータはその後、ＣＰＵ３０によって読み出され、Ｉ／Ｆ３８を経てファイル形式で記録媒体４０に記録される。
【００３０】
このような記録処理において、輝度評価回路２２は、カメラ処理回路１６から出力された画像データに基づいて被写界の明るさを示す輝度評価値をフレーム毎に作成し、作成された輝度評価値をＣＰＵ３０に与える。ＣＰＵ３０は、与えられた輝度評価値が閾値を下回るか否かを繰り返し判別して、輝度評価値が閾値を上回る高輝度状態から輝度評価値が閾値を下回る低輝度状態に変化した時点のフレーム番号を検出する。こうして検出されたフレーム番号は、暗黒開始フレーム番号Ｎとして、フラッシュメモリ３４により保持される。
【００３１】
ＣＰＵ３０はまた、上記の状態変化に応答してタイマＴをスタートし、タイマＴが１０秒を示した時点で選択画面の表示をＣＧ(Character Generator)３２に命令する。ＣＧ３２は、図３に示す選択画面をＬＣＤモニタ２６に表示する。この選択画面には、暗黒画像を記録中である旨の報知と、記録を継続するか否かの問いかけとが提示される。継続操作および中断操作の各々は、選択画面の表示から３０秒間、つまりタイマＴが４０秒を示すまで受け付けられる。
【００３２】
操作者がキー入力装置２８によって継続操作を行うと、すなわち選択画面で“はい”が選択されると、記録処理は継続される。
【００３３】
操作者がキー入力装置２８によって中断操作を行うと、すなわち選択画面で“いいえ”が選択されると、記録処理は直ちに中断される。操作者が何ら操作を行わなければ、記録処理はタイマＴが４０秒を示した時点で中断される。
【００３４】
中断時点での記録画像は、図４（Ａ）に示すように、高輝度の通常画像と、これに続く暗黒画像とを含む。通常画像と暗黒画像と境界は、暗黒開始フレーム番号Ｎにより示される。ＣＰＵ３０は、第Ｎフレーム以降の暗黒画像を記録媒体４０から削除する。この結果、ファイルクローズ時点での記録画像は、図４（Ｂ）に示すように通常画像のみとなる。
【００３５】
キー入力装置２８によって再生モードが選択されると、所望のＭｏｔｉｏｎ−ＪＰＥＧファイルの再生処理が実行される。ＣＰＵ３０は、Ｉ／Ｆ３８を通して記録媒体４０にアクセスし、所望のＭｏｔｉｏｎ−ＪＰＥＧファイルに格納されたＭｏｔｉｏｎ−ＪＰＥＧデータを読み出す。読み出されたＭｏｔｉｏｎ−ＪＰＥＧデータは、メモリ制御回路１８を通してＳＤＲＡＭ２０に書き込まれる。
【００３６】
ＪＰＥＧコーデック３６は、メモリ制御回路１８を通してＳＤＲＡＭ２０からＭｏｔｉｏｎ−ＪＰＥＧデータを読み出し、読み出されたＭｏｔｉｏｎ−ＪＰＥＧデータを伸長し、そして伸長された画像データをメモリ制御回路１８を通してＳＤＲＡＭ２０に書き込む。
【００３７】
ＬＣＤドライバ２４は、ＳＤＲＡＭ２０に格納された画像データをメモリ制御回路１８を通してＶｓｙｎｃのタイミングで読み出し、読み出された画像データでＬＣＤモニタ２６を駆動する。この結果、再生動画像がモニタ画面に表示される。
【００３８】
ＣＰＵ３０は、記録開始操作が行われたとき、図５〜図７に示す記録処理を実行する。なお、これらのフロー図に対応する制御プログラムは、フラッシュメモリ３４に記憶される。
【００３９】
図５を参照して、ステップＳ１では、初期処理を実行する。初期処理では、新たなファイルを記録媒体４０内にオープンし、かつタイマＴをリセットする。ファイルオープン処理には、ファイルパスの作成，ハンドル番号の割り当てといった処理が含まれる。ステップＳ３では、圧縮開始命令をＪＰＥＧコーデック３６に向けて発行する。そしてステップＳ５に進む。
【００４０】
ＪＰＥＧコーデック３６は、ＳＤＲＡＭ２０に格納された画像データをメモリ制御回路１８を通して読み出し、読み出された画像データをＭｏｔｉｏｎ−ＪＰＥＧ方式で圧縮し、そして圧縮画像データつまりＭｏｔｉｏｎ−ＪＰＥＧデータをメモリ制御回路１８を通してフレーム単位でＳＤＲＡＭ２０に書き込む。
【００４１】
ステップＳ５では、変数Ｎに“９９９９９９”をセットする。ステップＳ７では、フラグＦｔに“０”をセットする。ステップＳ９では、Ｍｏｔｉｏｎ−ＪＰＥＧデータがＳＤＲＡＭ２０に１フレーム分書き込まれたか否かを判別し、ＮＯであれば待機する。ステップＳ９でＹＥＳであれば、ステップＳ１１に移って、ＳＤＲＡＭ２０から１フレームのＭｏｔｉｏｎ−ＪＰＥＧデータを読み出し、読み出されたＭｏｔｉｏｎ−ＪＰＥＧデータを記録媒体４０に記録する。この記録処理では、フレーム番号などを記述したヘッダが作成され、作成されたヘッダは、読み出されたＭｏｔｉｏｎ−ＪＰＥＧデータと一緒に、ステップＳ１でオープンされたファイル（以下“目標ファイル”）に格納される。
【００４２】
ステップＳ１３では、輝度評価回路２２から輝度評価値を取り込み、取り込まれた輝度評価値が閾値を下回るか否かを判別する。ここでＹＥＳであればステップＳ１７に進み、ＮＯであればステップＳ１５に移ってフラグＦｔが“１”であるか否かをさらに判別する。ステップＳ１５でＹＥＳであればステップＳ５に戻り、ＮＯであればステップＳ９に戻る。
【００４３】
図６を参照して、ステップＳ１７では、フラグＦｔが“０”であるか否かを判別し、ＮＯであればステップＳ２５に進む。ステップＳ１７でＹＥＳであれば、ステップＳ１９〜Ｓ２３の一連の処理を経てステップＳ２５に進む。
【００４４】
ステップＳ１９では、現フレーム番号つまり直近のステップＳ１１でヘッダに記述したフレーム番号を変数Ｎにセットする。ステップＳ２１ではタイマＴをスタートする。ステップＳ２３では、フラグＦｔに“１”をセットする。
【００４５】
したがって、タイマＴの値は、輝度評価値が閾値を下回った状態の継続時間、換言すれば暗黒画像の連続記録時間を示す。変数Ｎは、輝度評価値が閾値を下回った瞬間のフレームの番号、つまり画暗黒開始フレーム番号を示す。フラグＦｔは、暗黒画像を記録中であるか、通常画像を記録中であるかを示す。
【００４６】
ステップＳ２５では、タイマＴの値が１０秒を超えたか否かを判別し、ＮＯであればステップＳ９に戻る。ステップＳ２５でＹＥＳであれば、ステップＳ２７に移って、図３に示す選択画面をＣＧ３２を介してＬＣＤモニタ２６に表示する。
【００４７】
図７を参照して、ステップＳ２９では、タイマＴの値が４０秒を超えたか否かを判別し、ＮＯであればステップＳ３１に移る。ステップＳ３１では、キー入力装置２８からの信号に基づいて中断操作の有無を判別し、ＮＯであればステップＳ３３に移る。ステップＳ３３では、キー入力装置２８からの信号に基づいて継続操作の有無を判別し、ＮＯであればステップＳ９に戻る。
【００４８】
ステップＳ３３でＹＥＳであれば、ステップＳ４１の処理を実行した後、ステップＳ５に戻る。ステップＳ４１では、タイマＴをリセットする。
【００４９】
ステップＳ２９およびステップＳ３１のいずれかでＹＥＳであれば、ステップＳ３５〜Ｓ３９の一連の処理を実行した後、この記録処理を終了する。
【００５０】
ステップＳ３５では、圧縮停止命令をＪＰＥＧコーデック３６に向けて発行する。ＪＰＥＧコーデック３６は、圧縮動作を停止する。
【００５１】
ステップＳ３７では、記録媒体４０内のＭｏｔｉｏｎ−ＪＰＥＧデータに付されたフレーム毎のヘッダ（図２参照）を検索して、変数Ｎの値と一致する番号のフレームつまり第Ｎフレームの位置を特定し（図４（Ａ）参照）、この第Ｎフレーム以降のＭｏｔｉｏｎ−ＪＰＥＧデータを記録媒体４０から削除する。
【００５２】
ステップＳ４１では、目標ファイルをクローズする。このファイルクローズ処理には、ファイル内のフレーム数，データ量などをファイルヘッダに記述する処理が含まれる。
【００５３】
以上から明らかなように、この実施例のビデオカメラ１０は、被写界像を繰り返し出力するイメージセンサ１４を含む。ビデオカメラ１０のＣＰＵ３０は、イメージセンサ１４から出力された被写界像に記録処理を施す（Ｓ１１）。また、イメージセンサ１４から出力された被写界像が低輝度画像（暗黒画像）であるか否かを繰り返し判別し（Ｓ１３）、判別結果が否定的な結果から肯定的な結果に更新された時点を示すタイミング情報（Ｎ）を作成する（Ｓ７，Ｓ１７，Ｓ１９，Ｓ２３）。
【００５４】
また、判別結果が肯定的な結果を継続的に示す肯定継続時間（Ｔ）を計測して（Ｓ２１）、肯定継続時間が第１規定時間（４０秒）に到達したという時間条件、および肯定継続時間が第１規定時間に到達する前に中断操作が行われたという操作条件のいずれかが満足されると、記録処理を不能化する（Ｓ２９，Ｓ３１）。そして、記録された被写界像の一部を作成されたタイミング情報に基づいて削除する削除処理を、この不能化処理の後に実行する（Ｓ３９）。
【００５５】
タイミング情報は、イメージセンサ１４から出力された被写界像が低輝度画像に変化した時点を示す。記録された被写界像の一部は、このようなタイミング情報に基づいて削除される。これによって、記録画像から低輝度画像を容易に削除できる。
【００５６】
また、記録処理は肯定継続時間が第１規定時間に到達した時点で中断されるので、低輝度画像の蓄積を回避しながら、継続的な記録動作を確保できる。
【００５７】
また、ＣＰＵ３０は、肯定継続時間が第１規定時間に到達する前に継続操作が行われたとき、計測処理をリセットする（Ｓ４１）。したがって、操作者が継続操作を行えば、時間条件の満足は阻止される。これによって、時間条件の満足に基づく記録処理の中断は回避され、その後の削除処理が実行されることもなくなる。こうして、操作者にとって意味のある低輝度画像の削除を回避することができる。
【００５８】
さらに、ＣＰＵ３０は、作成されたタイミング情報をリセット処理に関連して初期化する（Ｓ５）。したがって、継続操作の後、被写界像が低輝度画像から高輝度画像に変化し、そして再び高輝度画像から低輝度画像に変化した場合にも、的確な削除が行える。
【００５９】
なお、この実施例では、記録処理を停止した後すぐに低輝度画像を削除したが、ファイルクローズ後にこれを実行してもよい。この場合、ファイルクローズの際に、ファイルヘッダに上記のタイミング情報を記述しておく。そしてファイルクローズの後に、たとえば再生モードが選択されたときに、低輝度画像が記録されている旨の報知を行い、削除操作が行われれば低輝度画像を削除する。
【００６０】
また、この実施例では、動画像データの圧縮にＭｏｔｉｏｎ−ＪＰＥＧ方式を用いたが、ＭＰＥＧなど他の方式を用いてもよい。
【図面の簡単な説明】
【００６１】
【図１】この発明の一実施例を示すブロック図である。
【図２】図１実施例に適用される動画像データの構造を示す図解図である。
【図３】図１実施例に適用されるモニタ画面の一例を示す図解図である。
【図４】（Ａ）は記録終了時の記録画像の構造を示す図解図であり、（Ｂ）はファイルクローズ時の記録画像の構造を示す図解図である。
【図５】図１実施例に適用されるＣＰＵ動作の一部を示すフロー図である。
【図６】図１実施例に適用されるＣＰＵ動作の他の一部を示すフロー図である。
【図７】図１実施例に適用されるＣＰＵ動作のその他の一部を示すフロー図である。
【符号の説明】
【００６２】
１０  …ビデオカメラ
１４  …イメージセンサ
１４ｆ  …撮像面
１８  …メモリ制御回路
２０  …ＳＤＲＡＭ
２２  …輝度評価回路
２６  …ＬＣＤモニタ
２８  …キー入力装置
３０  …ＣＰＵ
３２  …キャラクタジェネレータ（ＣＧ）
３４  …フラッシュメモリ
４０  …記録媒体
【図１】
2008235969.tif 000003
【図２】
2008235969.tif 000004
【図３】
2008235969.tif 000005
【図４】
2008235969.tif 000006
【図５】
2008235969.tif 000007
【図６】
2008235969.tif 000008
【図７】
2008235969.tif 000009